(57)【要約】【課題】二次電池構造及びその応用の提供。【解決手段】この二次電池構造は、カバーと、該カバーに設けられて直流電源を受け取る或いは釈放するプラス極とマイナス極の電極端子とを包含する。二つの該電極端子は圧縮弾性回復力を有し該カバーの同一電極端面に位置し、且つそのうち一つの電極端子は電極端面の中央部に位置し、もう一つの電極端子は電極端面のエッジ近くに位置する。重複使用の環境保護目的を達成するのみならず、電極端子が圧縮弾性回復力を有することにより、電極端子の接触圧力を増し、良好な電気接続効果を達成する。並びに二次電池の電極端子の設置位置により、二次電池を回転させる時に発光浮標回路をオン或いはオフする回路を機能を提供する。【選択図】図３
2011254723.tif 000002
【特許請求の範囲】
【請求項１】
二次電池（10）がカバー（20）と、該カバー（20）に設けられて直流電源を受け取る或いは釈放するプラス極とマイナス極の電極端子（30,40）とを包含する二次電池構造において、
二つの該電極端子（30,40）は、圧縮弾性回復力を有し、該カバー（20）の同一電極端面（21）に位置し、且つそのうち一つの電極端子（30）は電極端面（21）の中央部に位置し、もう一つの電極端子（40）は電極端面（21）のエッジ近くに位置し、
該二次電池（10）はさらに該カバー（20）内に設けられた蓄電エリア（60）と、該蓄電エリア（60）と該電極端子（30,40）の間に介在する電池基板（50）を有し、該蓄電エリア（60）の一端に、該電池基板（50）を介して一方の該電極端子（30）と電気的に接続された電極接続端（61）があり、別端に該電池基板（50）を介してもう一方の該電極端子（40）と電気的に接続されたもう一つの電極接続端（62）があり、
これら電極端子（30,40）は、それぞれ該電極端面（21）に挿通され且つそれぞれ該電極接続端（61,62）と電気的に接続されて該電池基板（50）に固着されたレールシート（32,42）と、それぞれ該レールシート（32,42）に嵌合された可動ブロック（31,41）と、それぞれ該レールシート（32,42）内に設けられ且つそれぞれ該可動ブロック（31,41）に圧接する弾性部材（33,43）を包含することを特徴とする、二次電池構造。
【請求項２】
二次電池を具えた発光浮標であって、該二次電池（10）はカバー（20）と、該カバー（20）に設けられて直流電源を受け取る或いは釈放するプラス極とマイナス極の電極端子（30,40）とを包含し、
二つの該電極端子（30,40）は、圧縮弾性回復力を有し、該カバー（20）の同一電極端面（21）に位置し、且つそのうち一つの電極端子（30）は電極端面（21）の中央部に位置し、もう一つの電極端子（40）は電極端面（21）のエッジ近くに位置し、
これら電極端子（30,40）は、それぞれ該電極端面（21）に挿通され且つそれぞれ電極接続端（61,62）と電気的に接続されて電池基板（50）に固着されたレールシート（32,42）と、それぞれ該レールシート（32,42）に嵌合された可動ブロック（31,41）と、それぞれ該レールシート（32,42）内に設けられ且つそれぞれ該可動ブロック（31,41）に圧接する弾性部材（33,43）を包含し、
該発光浮標（70）は、該二次電池（10）の一端部を収容する下カバー（71）と、該二次
電池（10）の別の一端部を収容する上カバー（72）と、該上カバー（72）内に収容され且つ該二次電池（10）の二つの電極端子（30,40）と電気的に接続された発光浮標回路板（90）とを包含する、上記二次電池を具えた発光浮標において、
該発光浮標回路板（90）の一端面の中央部に一方の該電極端子（30）と電気的に接続された発光体電極接続端（92）が設けられ、この端面のエッジ近くに、もう一方の該電極端子（40）と電気的に接続されたもう一つの発光体電極接続端（93）が設けられ、該発光浮標回路板（90）の別端面にそれぞれ該発光体電極接続端（92,93）と電気的に接続された発光体（91）が設けられたことを特徴とする、二次電池を具えた発光浮標。
【発明の詳細な説明】
【技術分野】
【０００１】
本発明は一種の電池構造と発光浮標に係り、特に二次電池構造とその二次電池を応用して回路のオンオフ機能を形成する発光浮標に関する。
【背景技術】
【０００２】
使い捨て式の電池は環境に対する危害が極めて大きいため、環境保護に符合する二次電池はその存在の必要を有する。しかし、現在市販されている二次電池は、その電極端子が固定の方式で設置されるため、回路接点との接触不良の問題を形成しやすい。ゆえに改善の必要と余地がある。
【０００３】
現在使用されている発光浮標に使用されている電池は、ほとんどが例えば特許文献１の「浮標構造改良」に記載の既存の技術を使用しており、それに記載された既存の技術内容中、充電再使用可能な特性の電池は、その明細書中、符号３で表示されている。この周知の技術中に記載の二次電池３は使用上、比較的尖端にプラス電極とマイナス電極を有し、二次電池３は使用上、まずスリーブ２１１内に挿入されて、中央に穿孔が設けられ且つすでにバルブ２２２が固定された特殊回路板内に、アライン挿入され、その後に、収容溝１２がスリーブ２１１に対して螺合される。これにより、この周知の技術は、使用者にとっては相当に不便であり、且つこの周知の技術は以下のような問題が出現する。
１．電池３とバルブ２２２が固定された特殊回路板の接触不良のために、バルブ２２２が点灯しない状況が発生しやすい。
２．収容溝１２とスリーブ２１１が接合されたかどうかを、バルブ２２２の発光により知ることができない。このとき、直接使用して水と接触させると、バルブ２２２が固定された特殊回路板が濡れて損壊し、使用者にさらに大きく厳重なトラブルをもたらす。
【先行技術文献】
【特許文献】
【０００４】
【特許文献１】台湾特許公告第Ｍ２４９４７３号明細書
【発明の概要】
【発明が解決しようとする課題】
【０００５】
ゆえに、本発明の第１の目的は、上述の問題を解決するため、一種の二次電池を提供することにあり、該二次電池は、重複使用の環境保護目的を達成するのみならず、電極端子が圧縮弾性回復力を有することにより、電極端子の接触圧力を増し、良好な電気接続効果を達成するものとする。
【０００６】
本発明の第２の目的は、二次電池の電極端子の設置位置により、二次電池を回転させる時に発光浮標回路をオン或いはオフする機能を提供できるようにすることにある。
【課題を解決するための手段】
【０００７】
上記本発明の第１の目的を達成するため、本発明は一種の二次電池構造を提供する。この二次電池はカバーと、該カバーに設けられて直流電源を受け取る或いは釈放するプラス極とマイナス極の電極端子とを包含し、二つの該電極端子は、圧縮弾性回復力を有し、該カバーの同一電極端面に位置し、且つそのうち一つの電極端子は電極端面の中央部に位置し、もう一つの電極端子は電極端面のエッジ近くに位置する。
【０００８】
上記本発明の第２の目的を達成するため、本発明は一種の二次電池を具えた発光浮標を提供し、該二次電池はカバーと、該カバーに設けられて直流電源を受け取る或いは釈放するプラス極とマイナス極の電極端子とを包含し、二つの該電極端子は、圧縮弾性回復力を有し、該カバーの同一電極端面に位置し、且つそのうち一つの電極端子は電極端面の中央部に位置し、もう一つの電極端子は電極端面のエッジ近くに位置し、該発光浮標は、該二次電池の一端部を収容する下カバーと、該二次電池の別の一端部を収容する上カバーと、該上カバー内に収容され且つ該二次電池の二つの電極端子と電気的に接続された発光浮標回路板とを包含し、その特徴として、該発光浮標回路板の一端面の中央部に一方の該電極端子と電気的に接続された発光体電極接続端が設けられ、この端面のエッジ近くに、もう一方の該電極端子と電気的に接続されたもう一つの発光体電極接続端が設けられ、該発光浮標回路板の別端面にそれぞれ該発光体電極接続端と電気的に接続された発光体が設けられる。
【発明の効果】
【０００９】
本発明は重複使用の環境保護目的を達成するのみならず、電極端子が圧縮弾性回復力を有することにより、電極端子の接触圧力を増し、良好な電気接続効果を達成する。並びに二次電池の電極端子の設置位置により、二次電池を回転させる時に発光浮標回路をオン或いはオフする回路を機能を提供する。
【図面の簡単な説明】
【００１０】
【図１】本発明の二次電池構造の好ましい実施例の立体外観図である。
【図２】図１の局部分解図である。
【図３】図１の断面局部平面図である。
【図４】本発明の二次電池を具えた発光浮標の第１実施例の分解図である。
【図５】本発明の二次電池を具えた発光浮標の第２実施例の分解図である。
【図６】図４の発光体電極接続端と本発明の二次電池の連続動作表示図である。
【図７】図５の発光体電極接続端と本発明の二次電池の連続動作表示図である。
【発明を実施するための形態】
【００１１】
図１、図２及び図３を参照されたい。本発明の提供する二次電池（10）構造において、該二次電池（10）は、カバー（20）と、該カバー（20）に設けられて直流電源を受け取る或いは釈放するプラス極とマイナス極の電極端子（30,40）とを包含する。
【００１２】
二つの該電極端子（30,40）は、圧縮弾性回復力を有し、該カバー（20）の同一電極端面（21）に位置する。この圧縮弾性回復力は、これら電極端子（30,40）が、それぞれ該電極端面（21）に挿通され且つそれぞれ電極接続端（61,62）と電気的に接続されて電池基板（50）に固定されたレールシート（32,42）と、それぞれ該レールシート（32,42）に嵌合された可動ブロック（31,41）と、それぞれ 該レールシート（32,42）内に設けられて可動ブロック（31,41）に圧接する弾性部材（33,43）を包含することにより達成される。
【００１３】
また、そのうち一つの電極端子（30）は電極端面（21）の中央部に位置し、もう一つの電極端子（40）は電極端面（21）のエッジ近くに位置する。
【００１４】
このほか、該二次電池（10）はさらに該カバー（20）内に設けられた蓄電エリア（60）と、該蓄電エリア（60）と該電極端子（30,40）の間に介在して過充電と過電流自動保護機能を有する電池基板（50）を有する。そのうち、該蓄電エリア（60）の一端に、該電池基板（50）を介して一方の該電極端子（30）と電気的に接続された電極接続端（61）があり、別端に該電池基板（50）を介してもう一方の該電極端子（40）と電気的に接続されたもう一つの電極接続端（62）がある。
【００１５】
注意すべきことは、本発明の二次電池（10）は重複使用目的を達成するのみならず、該二次電池（10）の電極端子（30,40）の具備する圧縮弾性回復力により、該二次電池（10）が該電極端子（30,40）の弾力により、その電極端子（30,40）の接触圧力を高めて、良好な電気接続効果を達成することである。
【００１６】
このほか、本発明は、過充電と過電流自動保護機能の回路を本発明の直径が１ｃｍに満たない電池基板（50）の板面上に設計し、充電器の必要なくこの保護機能を達成している。
【００１７】
また、図４と図５を共に参照されたい。本発明は二次電池（10）を具えた発光浮標（70）或いは発光浮標（80）を提供している。この二次電池（10）は、カバー（20）と、該カバー（20）に設けられて直流電源を受け取る或いは釈放するプラス極とマイナス極の電極端子（30,40）とを包含する。
【００１８】
二つの該電極端子（30,40）は、圧縮弾性回復力を有し、該カバー（20）の同一電極端面（21）に位置する。この圧縮弾性回復力は、これら電極端子（30,40）が、それぞれ該電極端面（21）に挿通され且つそれぞれ電極接続端（61,62）と電気的に接続されて電池基板（50）に固定されたレールシート（32,42）と、それぞれ該レールシート（32,42）に嵌合された可動ブロック（31,41）と、それぞれ 該レールシート（32,42）内に設けられて可動ブロック（31,41）に圧接する弾性部材（33,43）を包含することに達成される。
【００１９】
注意すべきことは、そのうち一つの電極端子（30）は電極端面（21）の中央部に位置し、もう一つの電極端子（40）は電極端面（21）のエッジ近くに位置することである。
【００２０】
このほか、該二次電池（10）はさらに該カバー（20）内に設けられた蓄電エリア（60）と、該蓄電エリア（60）と該電極端子（30,40）の間に介在する電池基板（50）を有する。該蓄電エリア（60）の一端に、該電池基板（50）を介して一方の該電極端子（30）と電気的に接続された電極接続端（61）があり、別端に該電池基板（50）を介してもう一方の該電極端子（40）と電気的に接続されたもう一つの電極接続端（62）がある。
【００２１】
該発光浮標（70）或いは（80）は、該二次電池（10）の一端部を収容する下カバー（71）或いは（81）と、該二次電池（10）の別の一端部を収容する上カバー（72）或いは（82）と、該上カバー（72）或いは（82）内に収容され且つ該二次電池（10）の二つの電極端子（30,40）と電気的に接続された発光浮標回路板（90）と、上カバー（72）或いは（82）の一端より延伸された導光棒（73）或いは（83）を包含する。
【００２２】
図６と図７と共に図４を参照されたい。該発光浮標回路板（90）の一端面の中央に、中央部が一方の該電極端子（30）と電気的に接続された発光体電極接続端（92）が設けられ、この端面のエッジ近くに、もう一方の該電極端子（40）と電気的に接続されたもう一つの発光体電極接続端（93）が設けられている。該発光浮標回路板（90）の別端面にそれぞれ該発光体電極接続端（92,93）と電気的に接続され且つ該導光棒（73）に対向する発光体（91）が設けられている。
【００２３】
これにより、該二次電池（10）は該下カバー（71）が上カバー（72）に螺合される時、該二次電池（10）の電極端子（30）が該発光浮標回路板（90）の中央に位置する発光体電極接続端（92）と緊密に電気的に接続され、もう一方の電極端子（40）は軸回転してもう一つの該発光浮標回路板（90）のエッジ近くの発光体電極接続端（93）と緊密に電気的に接続される。この発光体（91）はそれぞれ該発光浮標回路板（90）と該発光体電極接続端（92,93）との電気的接続は、図６のようであり、該発光浮標回路板（90）上の発光体（91）が該二次電池（10）と通路を形成して導通し発光する。
【００２４】
また、該二次電池（10）は下カバー（71）が該上カバー（72）に対して回して緩められる時、該二次電池（10）の電極端子（30）は該発光浮標回路板（90）の中央の発光体電極接続端（92）と緊密な電気的接続を維持するが、もう一つの電極端子（40）は軸回転して該発光体電極接続端（93）と分離して電気的に接続不能となり、図７のようになり、すなわち、該発光浮標回路板（90）上の発光体（91）は該二次電池（10）と線路が切断され、発光不能となる。すなわち、二次電池（10）の電極端子（30,40）の設置の位置により、該二次電池（10）を回すことで、発光浮標（70）の発光浮標回路板（90）に回路のオンオフ機能を形成させる。
【００２５】
本発明は以上の実施例により説明されるが、これは本発明を限定するためのものではなく、本発明に基づき当業者がなし得る細部の修飾或いは変更であって、本発明の精神と範囲より逸脱しないものは、いずれも本発明の技術範疇に属するものとする。
【符号の説明】
【００２６】
１０  二次電池              ２０  カバー
２１  電極端面              ３０  電極端子
３１  可動ブロック          ３２  レールシート
３３  弾性部材              ４０  電極端子
４１  可動ブロック          ４２  レールシート
４３  弾性部材              ５０  電池基板
６０  蓄電エリア            ６１  電極接続端
６２  電極接続端            ７０  発光浮標
７１  下カバー              ７２  上カバー
７３  導光棒                ８０  発光浮標
８１  下カバー              ８２  上カバー
８３  導光棒                ９０  発光浮標回路板
９１  発光体                ９２  発光体電極接続端
９３  発光体電極接続端
【図１】
2011254723.tif 000003
【図２】
2011254723.tif 000004
【図３】
2011254723.tif 000005
【図４】
2011254723.tif 000006
【図５】
2011254723.tif 000007
【図６】
2011254723.tif 000008
【図７】
2011254723.tif 000009